(57)【要約】【目的】災害時や住宅の修理時に、容易に組立てや撤去ができ、一時的に仮住まいすることができる仮設住宅を提供する。【解決手段】本発明の仮設住宅は、板材と角材にて構成される仮設住宅において、合板等による２枚の板材を貼り合わせて合わせ板（１）を構成し、合わせ板（１）にて屋根板材（２）や壁板材（３）及び床板材（４）や棟木板材（５）となして、各板材の固定をばね性のロック機構による係止具（１０）にて固定しており、合わせ板（１）と合わせ板（１）の接合部は、合わせ板（１）の厚みの概半分以上が重なり、壁等を構成する板材は、２枚の合板を貼り合せたものやプラスチック等の成型品である。【選択図】図１
2007198108.tif 000002
【特許請求の範囲】
【請求項１】
板材と角材にて構成される仮設住宅において、合板等による２枚の板材を貼り合わせて合わせ板（１）を構成し、合わせ板（１）にて屋根板材（２）や壁板材（３）及び床板材（４）や棟木板材（５）となして、各板材の固定をばね性のロック機構による係止具（１０）にて固定することを特徴とする仮設住宅。
【請求項２】
壁板材（３）等を構成する合わせ板（１）と合わせ板（１）の接合部は、合わせ板（１）の厚みの概半分以上が重なることを特徴とする請求項１記載の仮設住宅。
【請求項３】
床板材（４）の下部には角材（６）を並べて補強するが、この角材（６）と角材（６）の固定及び角材（６）と合わせ板（１）の固定もばね性のロック機構による係止具（１０）にて固定することを特徴とする請求項１記載の仮設住宅。
【請求項４】
合わせ板（１）を合板等による合わせ板（１）ではなく、プラスチック又は金属の成型による一体材（１）としたことを特徴とする請求項１記載の仮設住宅。
【発明の詳細な説明】
【技術分野】
【０００１】  本発明は災害時や住宅の修理時に、容易に組み立てや撤去ができ、一時的に仮住まいすることができる仮設住宅に関する。
【背景技術】
【０００２】  従来、部屋全体を折り畳んで容易に運搬できるようにした折り畳み式簡易住宅モジュール（特許文献１）や、完成した簡易住宅を車両や航空機に積んで運搬し、現地にて簡易住宅を連結する形式のもの（特許文献２）や、必要な寸法に切断、切削して形成した石材パネルを輸送し、接合ピンを介して組み立てる石組簡易住宅（特許文献３）や、鉄骨構造の完成した簡易住宅をトラックなどで設置場所に輸送して設置するもの（特許文献４）や、複数に分割されたＦＲＰ製の分体を円形に組み合わせた簡易組立円形住宅（特許文献５）等が知られていた。
【特許文献１】特許公開  平９−４０６０
【特許文献２】特許公開  平９−１２５７１８
【特許文献３】特許公開  平１０−４６６５８
【特許文献４】特許公開  平１０−１８４０４０
【特許文献５】特許公開  ２０００−１２０１７１
【発明の開示】
【発明が解決しようとする課題】
【０００３】  特許文献１の「折り畳み式簡易住宅モジュール」は、保管時には折り畳めて小さくなるので収納効率は良いが、組み立て時には折り畳み壁が折り畳めないように強度を持たせる側壁や間仕切り壁が必要で、大きさの異なる部材が多量に必要となるので収納方法に課題が残るとともに、強度を持たせる間仕切り壁により、大きな部屋面積が確保できないといった課題を有する。【０００４】  特許文献２の「簡易住宅」は、完成した状態の簡易住宅を車両や航空機で運搬する形式であるので、簡易住宅の保管時には広い保管場所が必要といった課題を有するとともに、大量に運搬する場合には運搬に必要な車両や航空機が大量に必要といった課題を有する。【０００５】  特許文献３の「石組簡易住宅及び石組工法」では、材料が石材であるため重いといった課題を有し、組み立てにも大型の機械が必要で、容易に組み立てができないといった課題を有する。【０００６】  特許文献４の「簡易住宅」は、１ボックス型の簡易住宅で完成された構造であるため、特許文献２の簡易住宅と同様に、保管時には広い保管場所が必要といった課題を有し、大量運搬時には運搬に必要な車両等が大量に必要になるといった課題を有する。【０００７】  特許文型５の「簡易組立円形住宅」は、複数に分解されたＦＲＰ製の分体を組み合わせて構成するもので、軽量で組立性も良好であると考えられるが、円形形状の室内は多くの人にとって馴染みが少なく、使用しにくいといった課題を有する。【０００８】  そこで本発明の目的は、大きさの揃った材料により組み立てが容易で、比較的大きな部屋面積が確保でき、保管時に場所が少なくてすみ、多くの人に馴染みのある方形の部屋が確保できる組立式の仮設住宅を提供することにある。
【課題を解決するための手段】
【０００９】  本発明の仮設住宅は、板材と角材にて構成される仮設住宅において、合板等による２枚の板材を貼り合わせて合わせ板（１）を構成し、合わせ板（１）にて屋根板材（２）や壁板材（３）及び床板材（４）や棟木板材（５）となして、各板材の固定をばね性のロック機構による係止具（１０）にて固定することを特徴とする。【００１０】  壁板材（３）等を構成する合わせ板（１）と合わせ板（１）の接合部は、合わせ板（１）の厚みの概半分以上が重なることを特徴とする。【００１１】  床板材（４）の下部には角材（６）を並べて補強するが、この角材（６）と角材（６）の固定及び角材（６）と合わせ板（１）の固定もばね性のロック機構による係止具（１０）にて固定することを特徴とする。【００１２】  さらには、合わせ板（１）を合板等による合わせ板（１）ではなく、プラスチック又は金属の成型による一体材としたことを特徴とする。
【発明の効果】
【００１３】  本発明の簡易住宅は、大きさがほぼ揃った板材等の材料と角材のみを使用するので、軽量であり、トラック等による運搬が容易といった効果を有する。【００１４】  板材等の材料は板状であるため、組み立てが容易であるとともに、比較的大きな床面積が確保できるといった効果を有する。【００１５】  板状部材の組立式であるため保管時に場所を取らず、多くの人に馴染みのある方形の部屋が確保できる仮設住宅を提供することができるといった効果を有する。
【発明を実施するための最良の形態】
【００１６】  災害時や住宅の修理時に、容易に組み立てや撤去ができ、一時的に仮住まいすることができる仮設住宅を提供するといった目的と、大きさの揃った材料により組み立てが可能で、比較的大きな部屋面積が確保でき、組立式で保管時に場所を取らず、多くの人に馴染みのある方形の部屋が確保できる仮設住宅を提供するといった目的に対して、
板材と角材にて構成される仮設住宅において、２枚の合板を貼り合わせて合わせ板となし、合わせ板と合わせ板又は合わせ板と角材との固定をばね性のロック機構による係止具にて固定し、壁等を構成する合わせ板と合わせ板の合わせ部は合わせ板の厚みの概半分が重なるように構成することにより実現している。
【実施例】
【００１７】  図１は仮設住宅の部分分解斜視図、図２はばね性のロック機構による掛止具の斜視図、図３仮設住宅の構造を示す断面図、図４は２枚の合わせ板による水平合わせ部の様子を示す断面図、図５は２枚の合わせ板によるの垂直合わせ部の断面図である。【００１８】  図１及び図３を参照して本実施例による仮設住宅の構成と組立方法を説明すると、２枚の合板を貼り合わせた構造の合わせ板（１）を横に４枚づつ並べて左右の壁板材（３）となし、奥に３枚並べて奥の壁板材（３）とし、それぞれをばね性のロック機構による係止具（１０）にて外側で連結して固定し、内側にはなげし板（２１）を固定することにより、左右と奥の壁を完成させる。左右又は奥の壁板材（３）の一部は、窓用の開口部（７）を設けてある。【００１９】  基礎となる土台は角材（６）によりロの字形状又は８の字形状に組み立てられ、その上に床板材（４）を載せる角材（６）による床板搭載部（８）が形成されており、壁用の壁板材（３）の内側で、床板搭載部（８）の上部にはあらかじめ２枚の合板を貼り合わせた構造の合わせ板（１）を組み合わせて床板材（４）となし、前面にはドアの開口部（９）を設けた壁板材（３）１枚と両側に壁板材（３）を配置して係止具（１０）にて連結して固定することにより仮設住宅の壁部と床部を完成させる。【００２０】  次に、横の壁板材（３）上部に合わせ板（１）による複数枚の棟木板材（５）を係止具（１０）により固定し、壁板材（３）と棟木板材（５）の上部に合わせ板（１）による４枚の屋根板材（２）を並べて係止具（１０）で固定した後、サッシ等によるドアや窓を取り付けて仮設住宅を完成させる。【００２１】  図２を参照してばね性のロック機構による係止具（１０）について説明すると、係止具（１０）はロックレバー（１１）とロック部材（１２）を有する本体部（１３）及び引っかけ部（１４）を有する固定部材（１５）により構成されている。【００２２】    係止具（１０）の使用方法を壁板材（３）と壁板材（３）の固定を例に説明すると、一方の壁板材（３）の端部に固定部材（１５）を木ねじ等で固定し、もう一方の壁板材（３）の、固定部材（１５）に対応する位置に本体部（１３）を木ねじ等で固定し、本体部（１３）のロックレバー（１１）を引き上げ、ロック部材（１２）を固定部材（１５）の引っかけ部（１４）に引っかけた後にロックレバー（１１）を戻すことにより、２枚の壁板材（３）は係止具（１０）のばね作用により引っ張られた状態で固定されるのである。【００２３】  図４の２枚の合わせ板による水平合わせ部の様子を示す断面図と、図５の２枚の合わせ板による垂直合わせ部の断面図を参照して合わせ部の説明をすると、壁板材（３）や床板材（４）等の合わせ板（１）は２枚の合板を接着等により張り合わせて構成されており、壁や床のつなぎ目に相当する部分はそれぞれ、合わせ板（１）の半分の厚み又はそれ以上の重なりをもってつなぎ合わされている。【００２４】  例えば図４の２枚の合わせ板による水平合わせ部の様子を示す断面図により説明すると、合板Ａ（１６）と合板Ｂ（１７）は合板の厚みとほぼ同等のずれを有して貼り合わされて一枚の合わせ板（１）となし、合板Ｃ（１８）と合板Ｄ（１９）は合板の厚みのとほぼ同等のずれを有して貼り合わされて一枚の合わせ板（１）となしている。【００２５】  ２枚の合わせ板（３）は、それぞれのずれの部分が重なり合うように組み立てて、係止具（１０）により引っ張るように固定することにより、隙間をなくし、風雨を凌ぐ構造となるのである。【００２６】  また図５の２枚の合わせ板による垂直合わせ部の断面図で示すように、コーナー部（２１）においても２枚の合わせ板（１）をずらして壁板材（３）等を構成し、係止具（１０）により引っ張るように固定することにより、風雨を凌ぎ、施工性の良い仮設住宅となるのである。【００２７】  合わせ板（１）を２枚の合板を貼り合わせた構造ではなく、プラスチックの成型や金属の成型による一体材で構成しても良い。【００２８】  この場合は、成型に必要な金型等の費用が高額となる可能性があるが、量産により全体としてのコストが安価になる可能性があり、コスト的に有利である。プラスチックや金属は木材より硬めであるため、隙間からの風雨を防ぐために一体材と一体材の合わせ部にはゴムやシリコン等によりシールする必要があるが、それらも合わせて成型品とすることにより、全体のコスト低減、組立の容易性が図られる可能性がある。
【図面の簡単な説明】
【図１】仮設住宅の部分分解斜視図
【図２】ばね性のロック機構による掛止具の斜視図
【図３】仮設住宅の構造を示す断面図
【図４】２枚の合わせ板による水平合わせ部の様子を示す断面図
【図５】２枚の合わせ板による垂直合わせ部の断面図
【符号の説明】
１：合わせ板
２：屋根板材
３：壁板材
４：床板材
５：棟木板材
６：角材
７：窓用の開口部
８：床板搭載部
９：ドアの開口部
１０：係止具
１１：ロックレバー
１２：ロック部材
１３：本体部
１４：引っかけ部
１５：固定部材
１６：合板Ａ
１７：合板Ｂ
１８：合板Ｃ
１９：合板Ｄ
２０：コーナー部
２１：なげし板
【図１】
2007198108.tif 000003
【図２】
2007198108.tif 000004
【図３】
2007198108.tif 000005
【図４】
2007198108.tif 000006
【図５】
2007198108.tif 000007